(57)【要約】      （修正有）【課題】音量パンの設定と遅延パンの設定とを、手間をかけず簡単に関連付けられる音処理装置及び方法を提供する。【解決手段】音処理装置１０は、第１パラメータの値に基づいて音信号の定位を設定する第１定位設定部（例えば音量パン）１１と、第１パラメータとは異なる第２パラメータの値に基づいて音信号の定位を設定する第２定位設定部１２（例えば遅延パン）と、第１パラメータの値又は第２パラメータの値の何れか一方を調整する操作を受け付ける操作部１３と、第１パラメータ又は第２パラメータの何れか一方の値の調整に応じて他方の値を変更する制御部１４とを備える。第１定位設定部１１の第１パラメータと第２定位設定部１２の第２パラメータの値を連動させることにより、第１定位設定部１１の設定と第２定位設定部１２の設定を関連付ける。【選択図】図１
2018067757.tif 000002
【特許請求の範囲】
【請求項１】
第１パラメータの値に基づいて音信号の定位を設定する第１定位設定部、又は、前記第１パラメータとは異なる第２パラメータの値に基づいて音信号の定位を設定する第２定位設定部の何れか一方のパラメータの値を調整する調整手順と、
前記第１パラメータ又は前記第２パラメータの何れか一方の値の調整に応じて、他方の値を変更する制御を行う制御手順を備える方法。
【請求項２】
前記第１定位設定部又は前記第２定位設定部の何れか一方を選択する選択手順と、
前記選択された前記第１定位設定部又は前記第２定位設定部によって定位付けされた音信号を出力する手順
を更に備える請求項１に記載の方法。
【請求項３】
前記第１定位設定部により定位付けされた音信号を第１バスから出力する手順と、
前記第２定位設定部により定位付けされた音信号を第２バスから出力する手順
を更に備える請求項１に記載の方法。
【請求項４】
前記制御手順は、前記第１パラメータの値と前記第２パラメータの値を対応付ける対応付け手順を含み、前記対応付けに基づいて、前記変更する制御を行うことを特徴とする請求項１乃至３の何れかに記載の方法。
【請求項５】
前記対応付け手順は、前記第１定位設定部と前記第２定位設定部とが共通の定位付けを行うように、前記対応付けを行うことを特徴とする請求項４に記載の方法。
【請求項６】
前記対応付け手順は、音信号の出力先の環境に応じて、前記対応付けを行うことを特徴とする請求項４又は５に記載の方法。
【請求項７】
前記対応付け手順は、定位付けされた音信号を聴取者が聴いた場合の両耳の間での時間差及び音量差を計算により求めた値に基づいて、前記対応付けを行うことを特徴とする請求項４乃至６の何れかに記載の方法。
【請求項８】
前記対応付け手順は、ユーザにより設定された前記第１パラメータの値と前記第２パラメータの値の対応付けに基づいて、前記対応付けを行うことする請求項４乃至７の何れかに記載の方法。
【請求項９】
前記対応付け手順は、前記第１パラメータの値と前記第２パラメータの値とを段階的に対応付けることを特徴とする請求項４乃至８の何れかに記載の方法。
【請求項１０】
前記対応付け手順は、前記第１パラメータの値と前記第２パラメータの値とを対応付けたデータテーブルに基づいて、前記対応付けを行うことを特徴とする請求項４乃至９の何れかに記載の方法。
【請求項１１】
前記第１パラメータは音量であって、前記第１定位設定部は複数チャンネル間の音量差により定位を設定するものであり、前記第２パラメータは遅延量であり、前記第２定位設定部は複数チャンネル間の時間差により定位を設定するものである請求項１乃至１０の何れかに記載の方法。
【請求項１２】
第１パラメータの値に基づいて音信号の定位を設定する第１定位設定部と、
前記第１パラメータとは異なる第２パラメータの値に基づいて音信号の定位を設定する第２定位設定部と、
前記第１パラメータ又は前記第２パラメータの何れか一方の値を調整する操作を受け付ける操作部と、
前記第１パラメータ又は前記第２パラメータの何れか一方の値の調整に応じて、他方の値を変更する制御部
を備えた音処理装置。
【発明の詳細な説明】
【技術分野】
【０００１】
この発明は、例えばオーディオミキサに好適な音処理装置及び方法に関し、詳しくは、音信号の定位を設定するための技術に関する。
【０００２】
コンサート会場等に設置されるオーディオミキサ（以下、「ミキサ」とも言う）は、大略、各チャンネルにおいて、入力された音信号の音量を、そのチャンネルのフェーダによって調整して、音量調整後の音信号をバスに出力し、バスにおいて、１又は複数のチャンネルから供給された音信号を混合して、混合結果をメインスピーカやモニタスピーカ等の出力先に出力するように構成される。
【０００３】
従来のミキサは、一般的に、２チャンネルステレオ信号や多チャンネルサラウンド信号など複数チャンネルの音信号の定位（パンニング）を設定するための処理モジュールとして「パン」を備える。従来のパンには、複数チャンネル間の音量差を調整することにより、音信号の定位を設定するものがある。この明細書では、複数チャンネル間の音量差により定位を設定するパンを「音量パン」と称する。
【０００４】
音量パンの使用が、音信号を届ける範囲（「サービスエリア」という）の減少につながることがあった。例えば、大規模なコンサート会場では、客席向けメインスピーカの一方のチャンネル側に振り切るように定位を設定した場合、他方のチャンネル側の聴取者に音信号が届かずに、サービスエリアが減少してしまう場合があり得る。音量パンの使用によりサービスエリアが減少した場合、客席の位置によって音信号の聴こえ方が異なってしまう等の不都合が生じる。このような不都合を避けるために、大規模なコンサート会場においては、客席向けメインスピーカ用の音信号をモノラルミックスして、音量パンを使用しないこともあった。
【０００５】
ところで、従来、パンを設定する方法として、前記の音量パンのほか、複数チャンネル間の時間差（遅延量）により定位を設定する方法が知られる。この明細書では、複数チャンネル間の時間差（遅延量）によるパンを「遅延パン」と言う。遅延パンは、音量パンと比べて、サービスエリアが広い。このため、音信号の出力先の環境等に応じて、音量パンと遅延パンを使い分けたい場合がある。そのような場合には、例えば音量パンと遅延パンとで共通の定位を設定する等、音量パンの設定と遅延パンの設定とが関連付けられていると便利だろう。しかし、従来のミキサでは、音量パンの設定と遅延パンの設定とを簡単に関連付けて行うことができなかった。
【先行技術文献】
【特許文献】
【０００６】
【特許文献１】特開２０１５−１７１００１号公報
【非特許文献】
【０００７】
【非特許文献１】“ＤＩＧＩＴＡＬ ＭＩＸＩＮＧ ＣＯＮＳＯＬＥ ＬＳ９ ＬＳ９−１６/ＬＳ９−３２取扱説明書”、［online］、２０１２年、ヤマハ株式会社［平成２８年７月２９日検索］、インターネット〈URL：http://download.yamaha.com/api/asset/file?language=ja&site=countrysite-master.prod.wsys.yamaha.com&asset_id=58273〉
【発明の概要】
【発明が解決しようとする課題】
【０００８】
この発明は、上述の点に鑑みてなされたもので、第１パラメータの値に基づいて音信号の定位を設定する第１定位設定部の設定と、該第１パラメータとは異なる第２パラメータの値に基づいて音信号の定位を設定する第２定位設定部の設定とを、手間をかけず簡単に、関連付けることができるようにした音処理装置及び方法を提供することを目的とする。
【課題を解決するための手段】
【０００９】
この発明は、第１パラメータの値に基づいて音信号の定位を設定する第１定位設定部、又は、前記第１パラメータとは異なる第２パラメータの値に基づいて音信号の定位を設定する第２定位設定部の何れか一方のパラメータの値を調整する調整手順と、前記第１パラメータ又は前記第２パラメータの何れか一方の値の調整に応じて、他方の値を変更する制御を行う制御手順を備える方法である。
【００１０】
この発明によれば、第１定位設定部の第１パラメータ又は前記第２定位設定部の第２パラメータの何れか一方の値の調整に応じて他方の値を変更することにより、第１定位設定部の第１パラメータの値と第２定位設定部の第２パラメータの値を連動させることができる。すなわち、第１パラメータの値又は第２パラメータの値の変更を、他方の値に反映することができる。
【００１１】
また、この発明は、方法の発明として構成及び実施し得るのみならず、前記方法を構成する各手順に対応する構成要素を備える音処理装置の発明として実施及び構成されてよい。
【発明の効果】
【００１２】
この発明によれば、第１定位設定部の第１パラメータの値と第２定位設定部の第２パラメータの値を連動させることにより、手間をかけず簡単に、第１定位設定部の設定と第２定位設定部の設定とを関連付けることができる、という優れた効果を奏する。
【図面の簡単な説明】
【００１３】
【図１】この発明に係る音処理装置の構成例を示す概念的ブロック図。
【図２】図１の音処理装置を適用したオーディオミキサの電気的ハードウェア構成例を示すブロック図。
【図３】図２のオーディオミキサの信号処理構成例を説明するブロック図。
【図４】図２のオーディオミキサの１つのチャンネルの構成例を示す図。
【図５】値調整操作に応じた処理例を示すフローチャート。
【図６】対応付けテーブルの一例を示す図。
【図７】定位設定方法を切り替える処理例を示すフローチャート。
【図８】別の実施形態に係る１つのチャンネルの構成例を示す図。
【図９】前記別の実施形態に係る値調整操作に応じた処理例を示すフローチャート。
【図１０】対応付けテーブルの別の一例を示す図。
【発明を実施するための形態】
【００１４】
以下、添付図面を参照して、この発明の一実施形態について詳細に説明する。
【００１５】
図１は、この発明に係る音処理装置の構成例を説明する概念的ブロック図である。図１において、音処理装置１０は、第１パラメータの値に基づいて音信号の定位を設定する第１定位設定部１１と、前記第１パラメータとは異なる第２パラメータの値に基づいて音信号の定位を設定する第２定位設定部１２と、前記第１パラメータ又は前記第２パラメータの何れか一方の値を調整する操作を受け付ける操作部１３と、前記第１パラメータ又は前記第２パラメータの何れか一方の値の調整に応じて、他方の値を変更する制御部１４を備える。
【００１６】
図１の音処理装置１０は、例えば、オーディオミキサ等の音信号を扱う音響機器に適用され得る。以下の一実施形態は、一例として、音処理装置１０をオーディオミキサ（以下単に「ミキサ」とも言う）に適用した例について説明する。ミキサ２０は、専らデジタル信号処理により音信号を処理するデジタルミキサとする。
【００１７】
図２は、ミキサ２０の電気的ハードウェア構成例を示すブロック図である。ミキサ２０は、ＣＰＵ（中央処理ユニット）２１、メモリ２２、ディスプレイ２３、操作子群２４、及び、ミキシング部（図において「ＭＩＸ」）２５を含み、各部２１〜２５が相互に接続される。
【００１８】
ＣＰＵ２１は、メモリ２２に記憶された各種のプログラムを実行して、ミキサ２０の全体動作を制御する。メモリ２２は、ＣＰＵ２１が実行する各種のプログラムや各種のデータなどを不揮発に格納するほか、ＣＰＵ２１が実行するプログラムのロード領域やワーク領域に使用される。図１の制御部１４の動作（後述の図５や図９の処理）は、ＣＰＵ２１が実行するプログラムにより提供される。メモリ２２は、リードオンリーメモリ、ランダムアクセスメモリ、フラッシュメモリあるいはハードディスク等の各種メモリ装置を適宜組み合わせて構成されてよい。
【００１９】
ディスプレイ２３は、ＣＰＵ２１から与えられた表示制御信号に基づく各種情報を、各種画像や文字列等により表示する。操作子群２４は、ミキサ２０の操作パネル上に配置された複数の操作子および関連するインターフェース回路等であり、操作子群２４には複数のフェーダ操作子や、イコライザやパン調整等に用いる回転式つまみ操作子等が含まれる。ユーザは、操作子群２４を用いて、音信号の経路設定や各種パラメータの値の調整等を含む各種操作を行う。ＣＰＵ２１は、ユーザによる操作子群２４又はディスプレイ２３での入力操作に応じた検出信号を取得して、その検出信号に基づいてミキサ２０の動作を制御する。操作子群２４が、図１の操作部１３を構成する。
【００２０】
ミキシング部２５は、例えばＤＳＰ（Digital Signal Processor）や、ＣＰＵ２１およびメモリ２２に記憶されたソフトウェアにより仮想的に実現された信号処理装置で構成される。ミキシング部２５は、信号処理用のプログラムを実行することにより、図示しない入力機器から供給された１又は複数の音信号を処理して、該処理した音信号を、図示しない出力機器へ出力する。
【００２１】
図３は、ミキサ２０のミキシング部２５により実行される信号処理の構成例を示すブロック図である。ミキサ２０は、複数のチャンネル３０と複数のバス４０を有する。各チャンネル３０は、入力された音信号に対して、音量調整等を含む各種信号処理を施し、処理された音信号を、ユーザにより選択された１又は複数のバス４０に供給する。各バス４０は、１又は複数チャンネル３０から供給された音信号を混合する。混合された音信号は、各バス４０に対応する出力チャンネル（不図示）で処理された後に、メインスピーカやモニタスピーカ等の出力先（不図示）から出力される。ミキサ２０のユーザは、操作子群２４を用いて、各チャンネル３０の各種パラメータの値の調整を行う。ＣＰＵ２１は、操作子群２４の操作に応じて、メモリ２２に記憶された、各種パラメータの値を変更する。図３の信号処理は、メモリ２２に記憶されたパラメータの値に基づいて制御される。
【００２２】
図４は、１つのチャンネル３０の構成例を示す。図４に示す通り、チャンネル３０は、音信号に対する定位を設定するための処理モジュールとして、複数チャンネル間の音量差により音信号に定位を付ける音量パン３１と、複数チャンネル間の時間差（遅延量）により音信号に定位を付ける遅延パン３２とを備えており、選択部３３により、音量パン３１又は遅延パン３２の何れか一方を選択するように構成されている。
【００２３】
チャンネル３０に入力された音信号は、図示外の特性制御や音量調整を経て、選択部３３により選択中の音量パン３１又は遅延パン３２に供給される。該選択中の音量パン３１又は遅延パン３２は、パラメータの値に従って、供給された音信号に定位を付与し、定位付けされた音信号をステレオバス４１に供給する。ステレオバス４１は、２チャンネルステレオ構成のバス（図において「Ｌ」、「Ｒ」の２本のバス）であり、供給された音信号を２チャンネルのステレオ信号に混合して、混合された音信号を出力する。ステレオバス４１は、図３のバス４０に含まれる。
【００２４】
音量パン３１は、周知の通り、複数チャンネル間で音量差を付けることにより、音量の大きいチャンネル側に定位が偏って聴こえるようにするものである。音量パン３１は、ステレオバス４１に対応する２チャンネル間の音量差を規定するパラメータの値（以下、音量パン３１の値という）に基づいて音信号に定位を付ける。また、遅延パン３２は、周知の通り、先行して音の聞こえる側に定位が偏って聴こえるという人間の聴覚の特性（Ｈａａｓ効果、ハース効果、先行音効果）を利用したものである。遅延パン３２は、ステレオバス４１に対応する２チャンネル間の時間差（遅延量）を規定するパラメータの値（以下、遅延パン３２の値という）に基づいて音信号に定位を付ける。このミキサ２０は、音量パン３１の値と遅延パン３２の値とを連動させる（図３の符号３４の矢印）ことに１つの特徴がある。すなわち、この実施例においては、音量パン３１が図１の第１定位設定部１１に相当し、音量パン３１の値が第１パラメータの値に相当する。また、遅延パン３２が図１の第２定位設定部１２に相当し、遅延パン３２の値が第２パラメータの値に相当する。
【００２５】
なお、周知の通り、音信号の定位とは、２チャンネルステレオ又は多チャンネルサラウンド環境において、聴取者に対する音源の位置（角度）を表す。例えば、定位が中央位置に設定されていれば、聴取者は、音源が中央に位置しているように感じる、すなわち、音信号が中央位置から聞こえるように感じる。また、定位が左側に偏って設定された場合、聴取者は、音源が左側に位置するように感じる、すなわち、音信号が左のほうから聞こえるように感じる。この明細書において「左」、「右」の表現は、２チャンネルステレオの「左」、「右」に対応する。
【００２６】
図５は、音量パン３１の値又は遅延パン３２の値を調整する操作に応じた処理例のフローチャートを示す。ＣＰＵ２１は、ユーザによる或るチャンネル３０の音量パン３１の値又は遅延パン３２の値を調整する操作に応じて、図５の処理を開始する。値調整操作は、操作子群２４に含まれる物理的スイッチやディスプレイ２３を用いた指示入力などにより行い得る。
【００２７】
音量パン３１の値を調整する操作が行われた場合（ステップＳ１のＹＥＳ）、ＣＰＵ２１は、その操作に応じて、メモリ２２に記憶された当該チャンネル３０の音量パン３１の値を変更する（ステップＳ２）。そして、ＣＰＵ２１は、該音量パン３１の値の変更に応じて、メモリ２２に記憶された当該チャンネル３０の遅延パン３２の値を変更する（ステップＳ３）。
【００２８】
また、遅延パン３２の値を調整する操作が行われた場合（ステップＳ１のＮＯ）、ＣＰＵ２１は、その操作に応じて、メモリ２２に記憶された当該チャンネル３０の遅延パン３２の値を変更する（ステップＳ４）。そして、ＣＰＵ２１は、該遅延パン３２の値の変更に応じて、メモリ２２に記憶された当該チャンネル３０の音量パン３１の値を変更する（ステップＳ５）。
【００２９】
一例として、ＣＰＵ２１は、音量パン３１の値と遅延パン３２の値とを対応付けたデータテーブル（以下、対応付けテーブルと称する）に基づいて、前記ステップＳ３及び前記ステップＳ５の処理を行う。例えば、対応付けテーブルはメモリ２２に記憶される。この場合、ＣＰＵ２１は、前記ステップＳ３において、対応付けテーブルに基づいて、前記ステップＳ２で変更された音量パン３１の値に対応する遅延パンの値を取得して、メモリ２２に記憶された該チャンネル３０の遅延パン３２の値を、取得された値に変更する。また、ＣＰＵ２１は、前記ステップＳ５において、対応付けテーブルに基づいて、前記ステップＳ４で変更された遅延パン３２の値に対応する音量パンの値を取得して、メモリ２２に記憶された該チャンネル３０の音量パン３１の値を、取得された値に変更する。
【００３０】
図６は、前記対応付けテーブルの一例を示す。図６の例では、音量パン３１の値と遅延パン３２の値とが、互いに共通の分解能（例えば１２８段階の値）で表されており、各値が共通の定位を表すものとする。例えば、音量パン３１の値と遅延パン３２の値の最小値「０」が右端、中央値「６４」が中央、最大値「１２８」が左端を表す。この場合、図６の対応付けテーブルは、音量パン３１の各値「０」〜「１２８」と遅延パン３２の各値「０」〜「１２８」とを直線的に対応付けたものとなる。
【００３１】
従って、図６の対応付けテーブルによれば、音量パン３１と遅延パン３２とが共通の定位付けを行うように、音量パン３１の値と遅延パン３２の値とが対応付けられる。例えば、音量パン３１の値が中央位置から右側へ３０度偏った位置を表す場合、該対応付けテーブルによれば、その音量パン３１の値に対応する遅延パン３２の値も中央位置から右側へ３０度偏った位置を表す値となる。従って、図６の対応付けテーブルによれば、音量パン３１又は遅延パン３２の一方の値を調整するだけで、自動的に、音量パン３１及び遅延パン３２が共通の定位付けを行うように、音量パン３１及び遅延パン３２の両方の値が設定される。
【００３２】
前記図５のステップＳ３及びＳ５により、ＣＰＵ２１は、音量パン３１又は遅延パン３２の一方の値の変更を、他方の値に反映することができる、すなわち、音量パン３１の値と遅延パン３２の値とを連動させることができる。従って、音量パン３１の設定と遅延パン３２の設定とを自動的に対応付ける（関連付ける）ことができる。
【００３３】
図７は、定位設定方法を切り替える処理例のフローチャートを示す。ＣＰＵ２１は、ユーザにより、選択中の音量パン３１又は遅延パン３２を他方に切り替える指示が行われたときに、図７の処理を開始する。前記指示は、例えば操作子群２４に含まれる物理的スイッチやディスプレイ２３を用いて音量パン３１又は遅延パン３２の何れか一方を選択する操作により、行い得る。
【００３４】
音量パン３１が選択された場合（ステップＳ６のＹＥＳ）、ＣＰＵ２１は、音量パン３１に音信号を供給するように、当該チャンネル３０の選択部３３のスイッチを切り替える（ステップＳ７）。これにより、音量パン３１により定位付けされた音信号がステレオバス４１に供給され、該音量パン３１により定位付けされた音信号を含む混合結果が該ステレオバス４１から出力される（ステップＳ８）。また、遅延パン３２が選択された場合（ステップＳ６のＮＯ）、ＣＰＵ２１は、遅延パン３２に音信号を供給するように、当該チャンネル３０の選択部３３のスイッチを切り替える（ステップＳ９）。これにより、遅延パン３２により定位付けされた音信号がステレオバス４１に供給され、該遅延パン３２により定位付けされた音信号を含む混合結果が該ステレオバス４１から出力される（前記ステップＳ８）。
【００３５】
前述の通り、音量パン３１の値と遅延パン３２の値とが連動して設定されているので、前記ステップＳ８において該ステレオバス４１から出力される音信号の定位は、前記切り替え前後で対応付けられたもの（例えば切り替え前後で共通の定位）となる。従って、ユーザは、選択部３３のスイッチを切り替えるだけで、切り替えた後に定位の設定を再度行う手間をかけることなく、簡単に、音量パン３１と遅延パン３２とを互換的に使用することが可能となる。例えば、ユーザは、音量パン３１と遅延パン３２との定位付け結果を聞き比べて、所望の音量パン３１又は遅延パン３２を選択する、という使い方を簡単に行うことができる。或いは、例えばコンサートにおけるミキサ設定の仕込み（準備）段階では、ユーザが普段使いなれた音量パン３１を使って定位を決定し、コンサートの本番ではサービスエリアの広い遅延パン３２を使って音信号に定位を付与する、といった使い方を簡単に行うことができる。
【００３６】
前記図５では、値調整操作に応じてリアルタイムで、音量パン３１の値と遅延パン３２の値との連動処理（ステップＳ３又はＳ５）を行う例を示した。変形例として、定位設定方法を切り替える操作に応じて、前記連動処理（ステップＳ３又はＳ５）を行うようにしてもよい。その場合、或るチャンネル３０にて現在選択中の音量パン３１又は遅延パン３２の値調整操作があったときは、ＣＰＵ２１は、該選択中の音量パン３１又は遅延パン３２の値の変更（ステップＳ２又はＳ４）のみを行う。そして、定位設定方法を切り替える操作に応じて、ＣＰＵ２１は、メモリ２２に記憶された現在選択中の音量パン３１又は遅延パン３２の値に応じて、メモリ２２に記憶された音量パン３１又は遅延パン３２の他方の値を変更し（前記ステップＳ３、Ｓ５の変形例）、且つ、選択部３３のスイッチを切り替える（前記ステップＳ７，Ｓ９）。
【００３７】
図８は、別の実施形態に係るチャンネル３０の構成例を示す。図８において、１つのチャンネル３０は、音量パン３１に対応する第１バス４２と、遅延パン３２に対応する第２バス４３を備える。この構成例の場合、音量パン３１と遅延パン３２のそれぞれに音信号が供給される。そして、音量パン３１により定位付与された音信号が第１バス４２へ供給され、また、遅延パン３２により定位付与された音信号が第２バス４３へ供給される。したがって、音量パン３１により定位付与された音信号と、遅延パン３２により定位付与された音信号との２つの音信号が個別に出力される。第１バス４２と第２バス４３は、図３のバス４０に含まれるものである。この場合も、後述の通り、音量パン３１の値と遅延パン３２の値とが連動する（図８の符号３４の矢印）ようになっている。
【００３８】
一例として、第１バス４２と第２バス４３は、それぞれ用途が異なる、すなわち、音信号の送出先の環境が異なる。例えば、第１バス４２は、例えばコンサート会場のステージ上の演奏者モニタ出力用のモニタ出力バスである。また、第２バス４３は、例えばコンサート会場の客席向けメイン出力用のステレオバスである。
【００３９】
客席向けメイン出力は、モニタ出力に比べてサービスエリアが広い。特にスタジアムのような巨大なコンサート会場では、メイン出力のサービスエリアが極めて広い。これに対して、モニタ出力は、ステージ上のモニタスピーカや、或いは、演奏者のインイヤーモニタ等に使用されるので、前記メイン出力よりもサービスエリアが狭い。音量パン３１は、例えば巨大なコンサート会場のような広大なサービスエリアにおいては、左右何れか一方に定位を振り切った場合に音の届かないエリアが生じてしまうことがあり、広大なサービスエリアでの利用に不向きな面がある（言い換えれば、音量パン３１の使用によりサービスエリアが狭くなる場合がある）。この点、図８の構成例では、第１バス４２と第２バス４３それぞれの用途（モニタ出力用とメイン出力用）に合わせて音量パン３１と遅延パン３２とを使い分けることができる。したがって、ユーザは、音信号の送出先の環境に合せた適切な定位設定方法を使用できる。
【００４０】
図９は、図８に示すチャンネル構成例において、音量パン３１の値又は遅延パン３１の値を調整する操作に応じてＣＰＵ２１が実行する処理を示す。或るチャンネル３０の音量パン３１の値を調整する操作が行われたとき（ステップＳ１０のＹＥＳ）、ＣＰＵ２１はその操作に応じて、メモリ２２に記憶された当該チャンネル３０の音量パン３１の値を変更し（ステップＳ１１）、そして、該変更された音量パン３１の値に応じて（例えば前記図６の対応付けテーブルに基づいて）、メモリ２２に記憶された当該チャンネル３０の遅延パン２２の値を変更する（ステップＳ１２）。
【００４１】
また、或るチャンネル３０の遅延パン３２の値を調整する操作が行われたとき（ステップＳ１０のＮＯ）、ＣＰＵ２１は、その操作に応じて、メモリ２２に記憶された当該チャンネル３０の遅延パン３２の値を変更し（ステップＳ１５）、そして、変更された遅延パン３２の値に応じて（例えば前記図６の対応付けテーブルに基づいて）、メモリ２２に記憶された当該チャンネル３０の音量パン２２の値を変更する（ステップＳ１６）。
【００４２】
そして、音量パン３１により定位付けされた音信号は、第１バス４２に供給され、該音量パン３１により定位付けされた音信号を含む混合結果が第１バス４２から出力される（ステップＳ１３）。また、遅延パン３２により定位付けされた音信号は、第２バス４３に供給され、該遅延パン３２により定位付けされた音信号を含む混合結果が第２バス４３から出力される（ステップＳ１４）。
【００４３】
従って、前記図９のステップＳ１２及びＳ１６により、ＣＰＵ２１は、音量パン３１又は遅延パン３２の一方の値の変更を、他方の値に反映させることができる。すなわち、音量パン３１の値と遅延パン３２の値とを連動させることができる。これにより、手間をかけず簡単に、音量パン３１の設定と遅延パン３２の設定とを相互に対応付ける（関連付ける）ことが可能となる。
【００４４】
例えば、前記ステップＳ１２及びＳ１６において、図６の対応付けテーブルに基づいて音量パン３１の値と遅延パン３２の値とを連動させた場合、ユーザは、音量パン３１の値と遅延パン３２の値の何れか一方を調整するだけで、第１バス４２と第２バス４３の何れの音信号の送出先の環境に対しても、手間をかけず簡単に、共通の定位を設定できる。例えば、ミキサ２０のユーザは、第１バス４２の出力するモニタ出力音を聞きながら音量パン３１の値を調整するだけで、第２バス４３の出力するメイン出力の定位（遅延パン３２の値）も、モニタ出力音の定位と共通の設定にできる。したがって、第１バス４２と第２バス４３の何れの音信号の送出先の環境においても、ユーザの意図通りの適切な、違和感のない定位の設定を行うことができる。また、第１バス４２と第２バス４３とで音量パン３１と遅延パン３２とを使い分ける構成であっても、音量パン３１の値と遅延パン３２の値の何れか一方を調整するだけで、両方の値を設定できるので、手間がかからない。
【００４５】
別の実施形態において、前記ステップＳ３、Ｓ５、Ｓ１２及びＳ１６において、音量パン３１の値と遅延パン３２の値とを段階的に対応付けるようにしてもよい。図１０は、音量パン３１の値と遅延パン３２の値と段階的に対応付けたテーブルの構成例を示す。図１０において、横軸は音量パン３１の値を示し、縦軸は遅延パン３２の値を示す。音量パン３１と遅延パン３２は、それぞれ１２８段階の値（０〜１２８）で表され、各値が共通の定位を表す。なお、図１０において、遅延パン３２の値はミリ秒単位（図において「ｍｓ」）で示されている。図１０の対応付けテーブルでは、右チャンネルが１０ミリ秒以上遅いことを表す遅延パン３２の値に対して音量パン３１の値＝２０を対応付けて、右チャンネルが５〜１０ミリ以上遅いことを表す遅延パン３２の値に対して音量パン３１の値＝４８を対応付けて、右チャンネルが５ミリ以下〜左チャンネルが５ミリ以下遅いことを表す遅延パン３２の値に対して音量パン３１の値＝６４（中央位置）を対応付けて、左チャンネルが５〜１０ミリ以上遅いことを表す遅延パン３２の値に対して音量パン３１の値＝８０を対応付けて、左チャンネルが１０ミリ以上遅いことを表す遅延パン３２の値に対して音量パン３１の値＝１０８を対応付ける。音量パンの値＝２０以下に対しては遅延パン３２の値＝０（右端の振り切り定位）を対応付け、音量パンの値＝１０８以上に対しては遅延パン３２の値＝１２８（左端の振り切り定位）を対応付ける。図１０の対応付けテーブルを使用した場合も、ＣＰＵＩ２１は、音量パン３１又は遅延パン３２の何れか一方の値が変更されたとき、その変更に対応付けて（関連付けて、或いは、連動して）、他方の値を変更することができる（前記ステップＳ３、Ｓ５、Ｓ１２及びＳ１６）。
【００４６】
別の実施形態において、前記ステップＳ３、Ｓ５、Ｓ１２及びＳ１６において、定位付けされた音信号を聴取者が聴いた場合の両耳の間での時間差と音量差を計算によって求めた値に基づいて、音量パン３１の値と遅延パン３２の値との対応付けが決定されてもよい。前記計算は、例えば、聴取者の両耳の間隔、音源と聴取者との距離、「両耳を結ぶ線」と「音源と聴取者を結ぶ線」とがなす角度等に基づいて行うことができる。前記時間差と音量差は、例えば、音源位置（定位）毎に、算出される。例えば、ミキサ２０のメモリ２２には、計算により求めた音源位置（定位の位置）毎の時間差と音量差とを規定する対応付けテーブルが記憶される。前記ステップＳ３、Ｓ５、Ｓ１２及びＳ１６において、ＣＰＵ２１は、該対応付けテーブルに基づいて、音量パン３１又は遅延パン３２の一方の値に対応する他方の値を取得できる。
【００４７】
別の実施形態において、前記ステップＳ３、Ｓ５、Ｓ１２及びＳ１６における音量パン３１の値と遅延パン３２の値との対応付けは、ユーザが設定したものであってもよい。この場合、ユーザは、自身の好み等に従って、自由に音量パン３１の値と遅延パン３２の値とを対応付けることができる。また、音量パン３１の値と遅延パン３２の値との対応付けは、音量パン３１の定位設定と遅延パン３２の定位設定とが互いに関連付けられさえすれば、どのような対応付けでもよい。すなわち、音量パン３１又は遅延パン３２の一方の値に相関して、他方の値を決定できさえすれば、どのような対応付けであってもよい。
【００４８】
また、別の実施形態において、メモリ２２に複数種類の対応付けテーブルを用意しておき、ユーザが１つの対応付けテーブルを選択するようにしてもよい。一例として、メモリ２２は、サービスエリアの広さや形状等の条件（例えば、サービスエリアとなる建物の種類や、空間の幅、面積などの）に応じた複数種類の対応付けテーブルを記憶する。ユーザは、音信号の出力先の環境等に応じて適切な対応付けテーブルを選択できる。サービスエリアの広さや形状等の条件に応じた対応付けテーブルの具体例としては、例えば大規模ホール用の対応付けテーブルにおいては、遅延パン３２の各定位に対応付ける音量パン３１の定位の振り幅（中央位置からの角度）を狭くする、すなわち、遅延パン３２に大きい時間差が設定された場合であっても、音量パン３１では定位を大きく振らないようにする、というような態様が考えられる。別の例として、ユーザがサービスエリアの広さや形状等の条件を入力し、該入力された条件に応じて、音量パン３１の値と遅延パン３２の値との対応付けが生成されるようにしてもよい。
【００４９】
また、別の実施形態において、音信号の出力先の環境に応じて自動的に、音量パン３１又は遅延パン３２の何れか一方が選択されるように構成されてもよい。例えば、ユーザが音信号の出力先の環境（例えば、メイン出力又はモニタ出力のいずれか）を入力すると、該入力された環境に応じて、ＣＰＵ２１は、前記図７の処理を行う。例えば、出力先の環境がモニタ出力のときは、自動的に音量パン３１が選択される、といった実施態様が可能である。
【００５０】
また、音量パン３１及び遅延パン３２の値を調整する操作子は、音量パン３１の値調整用と遅延パン３２の値調整用とで別個の操作子でもよいし、音量パン３１の値調整用と遅延パン３２の値調整用とで１つの共通の操作子でもよい。また、その値調整用の操作子は、各チャンネル３０毎に別個の操作子であってもし、複数のチャンネル３０で共通の操作子であってもよい。
【００５１】
前記図４のチャンネル構成例において、音量パン３１の値調整用と遅延パン３２の値調整用とで共通の操作子を用いる場合、前記選択部３３により現在選択中の音量パン３１又は遅延パン３２の値が調整対象となってよい。別の例として、選択部３３の選択とは独立して、操作子の調整対象として、音量パン３１又は遅延パン３２の何れかを、ユーザが指定してもよい。また、図８のチャンネルの構成例において、音量パン３１の値調整用と遅延パン３２の値調整用とで共通の操作子を用いる場合、ユーザが、操作子の調整対象として、音量パン３１又は遅延パン３２の何れかを指定してよい。
【００５２】
また、音量パン３１及び遅延パン３２の値調整操作子は、音量パン３１及び／又は遅延パン３２の値調整に専用の操作子でもよいし、操作対象として任意のパラメータを割当可能な汎用の操作子でもよい。
【００５３】
また、音量パン３１及び遅延パン３２の値調整操作子は、物理的な操作子に限らず、ディスプレイ２３に表示された操作子画像などの画像オブジェクトであってもよい。
【００５４】
また、別の実施形態において、前記ステップＳ３、Ｓ５、Ｓ１２及びＳ１６において、ＣＰＵ２１は、音量パン３１又は遅延パン３２の何れか一方の値調整操作に応じた操作量に基づいて、音量パン３１又は遅延パン３２の他方の値を変更するようにしてもよい。更に別の実施形態において、ＣＰＵ２１は、或るチャンネルの定位を設定する操作に応じて、メモリ２２に記憶された、当該チャンネルの音量パン３１の値（第１定位設定部の第１パラメータの値）、及び、当該チャンネルの遅延パン３２の値（第２定位設定部の第２パラメータの値）の両方を変更する制御を行ってもよい（前記ステップＳ２〜Ｓ５、Ｓ１１、Ｓ１２、Ｓ１５、及び、Ｓ１６の変形例）。定位を設定する操作は、例えば、操作パネルに設けられた定位設定用の操作子（操作子群２４）の操作や、ディスプレイ２３の画面上での操作である。この場合、ユーザは、定位設定方法（音量パン３１及び遅延パン３２）の違いを意識することなく定位を設定する操作を行うだけで、音量パン３１及び遅延パン３２の両方に、対応付けられた値（例えば共通の定位付けを行う値）を設定できる。
【００５５】
また、別の実施形態においては、前述の各実施形態を任意に組み合わせてよい。
【００５６】
前記の各実施形態において、ＣＰＵ２１による前記ステップＳ３、Ｓ５、Ｓ１２及びＳ１６の処理が、図１の制御部１４の動作に相当する。
【００５７】
以上、この発明の一実施形態を説明したが、この発明は上記実施形態に限定されるものではなく、特許請求の範囲、及び明細書と図面に記載された技術的思想の範囲内において種々の変形が可能である。例えば、音処理装置１０は、ミキサ２０に限らず、レコーダ、プロセッサなど、音信号に定位付けを行う機能を含む装置であれば、どのような装置に適用されてもよい。また、音処理装置１０は、図１に示す各部１１、１２、１３及び１４の動作を実行するように構成された専用ハードウェア装置（集積回路等）からなっていてもよい。また、音処理装置１０は、図１に示す各部１１、１２、１３及び１４の動作を行なうためのプログラムを実行する機能を持つプロセッサ装置により構成されてよい。例えば、音処理装置１０は、パーソナルコンピュータ上で実行されるＤＡＷ（Digital Audio Workstation）ソフトウェアアプリケーションや、或いは、ビデオ編集ソフトウェアアプリケーションに適用され得る。
【００５８】
また、この発明は、第１パラメータの値に基づいて音信号の定位を設定する第１定位設定部１１又は前記第１パラメータとは異なる第２パラメータの値に基づいて音信号の定位を設定する第２定位設定部１２の何れか一方のパラメータの値を調整する調整手順と、前記第１パラメータ又は前記第２パラメータの何れか一方の値の調整に応じて、他方の値を変更する制御を行う制御手順を備える方法の発明として、構成及び実施されてもよい。また、前記方法を構成する各ステップを、コンピュータに実行させるプログラムの発明として、構成及び実施されてもよい。ＣＰＵ２１による前記ステップＳ２、Ｓ４、Ｓ１１、Ｓ１５の処理が調整手順に相当し、また、ＣＰＵ２１による前記ステップＳ３、Ｓ５、Ｓ１２、Ｓ１６の処理が制御手順に相当する。
【符号の説明】
【００５９】
１０  音処理装置、１１  調整部、１２  選択部、１３  記憶部、１４  制御部、２０  ミキサ、２１  ＣＰＵ、２２  メモリ、２３  ディスプレイ、２４  操作子群、２５  ミキシング部、３０  チャンネル、３１  音量パン、３２  遅延パン、３３  選択部、４０  バス、４１  ステレオバス、４２  第１バス、４３  第２バス
【図１】
2018067757.tif 000003
【図２】
2018067757.tif 000004
【図３】
2018067757.tif 000005
【図４】
2018067757.tif 000006
【図５】
2018067757.tif 000007
【図６】
2018067757.tif 000008
【図７】
2018067757.tif 000009
【図８】
2018067757.tif 000010
【図９】
2018067757.tif 000011
【図１０】
2018067757.tif 000012